【手続補正書】
【提出日】平成16年4月21日(2004.4.21)
【手続補正１】
【補正対象書類名】特許請求の範囲
【補正対象項目名】全文
【補正方法】変更
【補正の内容】
【特許請求の範囲】
【請求項１】
有機物質の処理方法であって：
有機物質を処理包囲体内に配置する工程と；
再循環経路と、
再循環経路に沿って流れるガスを加熱するように設けられた間接加熱器手段と、ガスの取り替えや置換を可能とするように設けられたバルブ手段と、
ガスの抜き出しを可能とするように設けられた抜き出し手段とを通って、
過熱蒸気と高温不活性ガスと高温空気と高温処理ガスとから少なくともひとつを再循環することによって、過熱蒸気と高温不活性ガスと高温空気と高温処理ガスとから前記少なくともひとつを含む雰囲気中で、１００℃より高温まで有機物質を加熱する工程と；
この工程に続いて、加熱された有機物質の固体残渣を、過熱蒸気と不活性ガスとから少なくともひとつを含む雰囲気中で、冷却する工程とを含むことを特徴とする処理方法。
【請求項２】
過熱蒸気を含む雰囲気中で有機物質を乾燥するのを最初の工程としてさらに含み、この最初の乾燥工程中に生成された過熱蒸気の一部分が、抜き出される請求項１記載の方法。
【請求項３】
有機物質の加熱時に生成された高温処理ガスを含む雰囲気の一部分が、抜き出される請求項１または２記載の方法。
【請求項４】
有機物質の加熱時に生成された高温処理ガスを含む雰囲気の前記一部分が抜き出された後に残る固体残渣が、固体残渣を通ってまたはその周りで、過熱蒸気と不活性ガスとから少なくともひとつを含む雰囲気を再循環することによって、冷却される請求項３記載の方法。
【請求項５】
固体残渣が冷却される雰囲気が過熱蒸気を含み、噴霧化された水を、その量を制御して、過熱蒸気に供給することによって過熱蒸気の温度が制御され、噴霧化された水から生成された過熱蒸気の一部分が、抜き出される請求項４記載の方法。
【請求項６】
抜き出された高温処理ガスの少なくとも一部が燃焼されて、そのまま加熱目的を果たす請求項３記載の方法。
【請求項７】
抜き出された高温処理ガスの少なくとも一部が冷却され凝縮されて、続いて行われる加熱またはそれ以外の目的を果たす請求項３記載の方法。
【請求項８】
抜き出された過熱蒸気の少なくとも一部が冷却され凝縮されて、加熱またはそれ以外の目的を果たす請求項２または５記載の方法。
【請求項９】
処理方法がバッチ法で、このバッチ法において、制御された処理環境を含む包囲体内に有機物質が配され、最初の乾燥工程が行われた後に、その処理環境に適切なガスを適切な温度で供給することにより、有機物質が加熱され、これに続いて冷却される請求項１から８いずれかひとつに記載の方法。
【請求項１０】
制御された処理環境を含む少なくとも１個の別の包囲体が提供される請求項９記載の方法。
【請求項１１】
有機物質が、最初の乾燥工程が行われる包囲体を通った後に、加熱の行われている処理包囲体内まで流れ、これに続いて、前記物質の固体残渣が冷却包囲体内まで流れ、この冷却包囲体内で前記残渣が冷却される請求項１から８のいずれかひとつに記載の方法。
【請求項１２】
有機物質またはその固体残渣が、ドアを通って各包囲体に出入りし、前記ドアが閉じたとき、ガスが実質的に、包囲体に入ってあるいはそこを出て移動しないように、または包囲体どうしの間を移動しないようにするシールを形成する請求項１１記載の方法。
【請求項１３】
有機物質またはその固体残渣が、包囲体から下向きに延びている管を通って包囲体に出入りし、さらに管内に温度/密度差層が形成され、この温度/密度差層が機能して形成されたシールにより、ガスが実質的に、管を通って包囲体に入ってそこから出て移動しないように、または包囲体どうしの間を移動しないようにする請求項１１記載の方法。
【請求項１４】
少なくとも１個の別の処理包囲体がさらに設けられた請求項１１から１３いずれかひとつに記載の方法。
【請求項１５】
添付のどの図であってもそれを参照してほぼ明細書で説明したように有機物質を処理する方法。
【請求項１６】
有機物質をバッチ処理するのに使用する処理装置であって：
処理および冷却包囲体と；
１００℃より高温まで有機物質を加熱するために、間接加熱器手段を通ってあるいはその周りで、および処理および冷却包囲体内に配置された有機物質を通ってあるいはその周りで、過熱蒸気と高温不活性ガスと高温空気と高温処理ガスとから少なくともひとつを含む雰囲気を再循環できるように、そして
加熱された有機物質の固体残渣を冷却するために、冷却手段を通ってあるいはその周りで、および処理および冷却包囲体内に配置された前記固体残渣を通ってあるいはその周りで、過熱蒸気と不活性ガスとから少なくともひとつを含む雰囲気を再循環できるように
処理および冷却包囲体内の雰囲気を制御する手段と；
ガスの取り替えや置換を可能にするバルブ手段と；
ガスの抜き出しを可能にする抜き出し手段とを備えることを特徴とする処理装置。
【請求項１７】
過熱蒸気を含む雰囲気中で、前記処理および冷却包囲体内の有機物質を乾燥する最初の工程が行われることを可能にする手段と；
最初の乾燥工程中に生成された過熱蒸気の一部分を抜き出せるようにする抜き出し手段とをさらに備える請求項１６記載の装置。
【請求項１８】
少なくとも１個の別の処理および冷却包囲体がさらに設けられた請求項１６または１７記載の方法。
【請求項１９】
有機物質の処理に使用する処理装置であって：
処理包囲体と；
１００℃より高温まで有機物質を加熱するために、間接加熱器手段を通ってあるいはその周りで、および処理包囲体内の再循環経路に配置された有機物質を通ってあるいはその周りで、過熱蒸気と高温不活性ガスと高温空気と高温処理ガスとから少なくともひとつを含む雰囲気を再循環することによって、前記雰囲気を制御された温度まで加熱する手段と；
冷却包囲体と；
前記有機物質の固体残渣を冷却するために、冷却手段を通ってあるいはその周りで、および冷却包囲体内の有機物質の前記固体残渣を通ってあるいはその周りで、過熱蒸気と不活性ガスとから少なくともひとつを含む雰囲気を再循環することによって、前記雰囲気を制御された温度まで冷却する手段とを備え、この冷却する手段を通ってまたはその周りで、および冷却包囲体内の前記有機物質の前記固体残渣を通ってまたはその周りで、前記再循環がおこなわれ；さらに本装置は、
処理包囲体と冷却包囲体に入ってそこを通って有機物質を搬送する搬送手段と；
ガスの取り替えや置換を可能にするバルブ手段と；
ガスの抜き出しを可能にする抜き出し手段と
ガスが実質的に、それぞれの前記包囲体に入ってそこから出て移動しないように、および前記包囲体どうしの間で移動しないようにするシール手段と；
有機物質の加熱時に生成される高温処理ガスを含む雰囲気の少なくとも一部を抜き出せる、処理包囲体抜き出し手段とを備えることを特徴とする処理装置。
【請求項２０】
乾燥包囲体と；
前記有機物質を乾燥するために、間接加熱器手段を通ってあるいはその周りで、および乾燥包囲体内に配置された有機物質を通ってあるいはその周りで、過熱蒸気を含む雰囲気を再循環する手段と；
乾燥中に生成された過熱蒸気の一部分が抜き出せるようにする抜き出し手段とをさらに備える請求項１９記載の装置。
【請求項２１】
少なくとも１個の別の処理包囲体をさらに備える請求項１９または２０記載の方法。
【請求項２２】
シール手段が、メカニカルシールで、またはガスが実質的に、前記包囲体に入ってそこから出て流れないように、および前記包囲体どうしの間を流れないようにするドアで構成される請求項１９から２１いずれかひとつに記載の装置。
【請求項２３】
シール手段が包囲体から下に延びる管で構成されていて、これらの管を通って、有機物質またはその固体残渣が包囲体に入ってそこから出て流れ、さらに管内に温度/密度差層が形成され、適用に際し、ガスが実質的に、前記管に沿って前記包囲体に入っておよびそこから出て流れないように、さらに包囲体どうしの間を流れないようにする請求項１９から２１いずれかひとつに記載の装置。
【請求項２４】
固体残渣が冷却される雰囲気が過熱蒸気を含む場合に、噴霧化された水を、その量を制御して過熱蒸気に供給することにより、過熱蒸気の温度を制御する手段が設けられ、噴霧化された水から生成された過熱蒸気の一部分を抜き出せるようにする抜き出し手段が設けられている請求項１６から２３いずれかひとつに記載の装置。
【請求項２５】
有機物質を１００℃より高温まで加熱している間に抜き出される高温処理ガスの少なくとも一部が、燃焼されてそのまま加熱目的を果たせるようにする手段が設けられている請求項１６から２４いずれかひとつに記載の装置。
【請求項２６】
有機物質を１００℃より高温まで加熱している間に抜き出される高温処理ガスの少なくとも一部が、冷却され凝縮されてそれに続く加熱またはそれ以外の目的を果たせるようにする手段が設けられている請求項１６から２５いずれかひとつに記載の装置。
【請求項２７】
抜き出される過熱蒸気の少なくとも一部が、冷却され凝縮されて加熱またはそれ以外の目的を果たせるようにする手段が設けられている請求項２０から２４いずれかひとつに記載の装置。
【請求項２８】
少なくともひとつの試薬を、再循環しているひとつもしくはそれより多くの雰囲気に、添加するのに使用するための手段をさらに備える請求項１６から２７いずれかひとつに記載の装置。
【請求項２９】
添付のどの図であってもそれを参照してほぼ明細書で説明したように有機物質を処理する装置。